(57)【要約】【課題】  装置構成が簡単で経済的に製造でき操作性が良好なドリッパーを提供する。【解決手段】  外側に把手部１１を備え底部１２に貫通孔１３が形成された濾紙収納部１４と、筒体部２４及びフランジ部２５を有し貫通孔１３にシール状態で取付けられた通液口１５を備える筒状部材１６と、スプリング３８によって通液口１５を閉塞する栓１７と、濾紙収納部１４の内側斜面１８に近接して配置され、栓１７をスプリング３８に対抗して押し下げ可能なロッド部材１９とを有し、筒体部２４の両側にはロッド部材１９の下側が上下に移動可能な垂直ガイド孔３２、３３が設けられると共に、垂直ガイド孔３２に連接する横溝３４を設け、ロッド部材１９の下側は、垂直ガイド孔３２、３３を上下に移動する水平部３１を備えると共に、水平部３１の上又は下に掛止部４４を有し、ロッド部材１９の上側を回動させることによって、掛止部４４が回動して横溝３４に嵌入する。【選択図】        図１
2007075434.tif 000002
【特許請求の範囲】
【請求項１】
外側に把手部を備え底部には貫通孔が形成された逆円錐台状の濾紙収納部と、前記貫通孔に嵌合する筒体部及びその中間位置に設けられたフランジ部を有し前記貫通孔にシール状態でねじ取付けされた中央に通液口を備える筒状部材と、前記通液口の下から上に向けてスプリングによって付勢されて該通液口を閉塞する栓と、前記濾紙収納部の内側斜面に近接して配置され、上側が前記濾紙収納部の上方に突出し、下側が前記栓に直接又は間接的に連結されて前記栓を前記スプリングに対抗して押し下げ可能なロッド部材とを有し、かつ、前記筒体部の両側には前記ロッド部材の下側が上下に移動可能な垂直ガイド孔が設けられると共に、該垂直ガイド孔の少なくとも片側には該垂直ガイド孔に連接する横溝を設け、更に、前記ロッド部材の下側は、前記筒体部の両側に設けられた前記垂直ガイド孔を上下に移動する水平部を備えると共に、該水平部の上又は下に掛止部を有し、前記ロッド部材の上側を回動させることによって、前記掛止部が回動して前記横溝に嵌入することを特徴とするドリッパー。
【請求項２】
請求項１記載のドリッパーにおいて、前記筒状部材には、前記濾紙収納部の下方から螺合して前記筒状部材を前記貫通孔に取付ける固定部が設けられ、しかも該固定部は、下方へ向けて縮径しその外側周囲にすべり止めが設けられていることを特徴とするドリッパー。
【請求項３】
外側に把手部を備え底部には通液口が形成された逆円錐台状の濾紙収納部と、該濾紙収納部の内側底部に前記通液口と軸心を同一にして設けられた筒体部と、前記通液口の下から上に向けてスプリングによって付勢されて該通液口を閉塞する栓と、前記濾紙収納部の内側斜面に近接して配置され、上側が前記濾紙収納部の上方に突出し、下側が前記栓に直接又は間接的に連結されて前記栓を前記スプリングに対抗して押し下げ可能なロッド部材とを有し、かつ、前記筒体部の両側には前記ロッド部材の下側が上下に移動可能な垂直ガイド孔が設けられると共に、該垂直ガイド孔の少なくとも片側には該垂直ガイド孔に連接する横溝を設け、更に、前記ロッド部材の下側は、前記筒体部の両側に設けられた前記垂直ガイド孔を上下に移動する水平部を備えると共に、該水平部の上又は下に掛止部を有し、前記ロッド部材の上側を回動させることによって、前記掛止部が回動して前記横溝に嵌入することを特徴とするドリッパー。
【請求項４】
請求項１〜３のいずれか１項に記載のドリッパーにおいて、前記掛止部は前記水平部を延長しＵ字状に曲げて形成されていることを特徴とするドリッパー。
【発明の詳細な説明】
【技術分野】
【０００１】
本発明は、例えば、挽いたコーヒー豆原料からコーヒーを入れる場合、紅茶の葉から紅茶を入れる場合、又は茶葉からお茶を入れる場合に使用するドリッパーに関する。
【背景技術】
【０００２】
従来のコーヒードリッパーは、例えば、陶器、磁器、又は耐熱性プラスチックで全体が構成され、コーヒードリッパーに備えられた逆円錐台状の濾紙収納部の底には通液口が、また濾紙収納部の側方には把手部がそれぞれ設けられ、更に濾紙収納部の下部外側には円形の設置部が設けられていた。
このようなコーヒードリッパーの使用にあっては、例えば、カップのような所定の容器に設置部を介してコーヒードリッパーを載せた後、濾紙収納部に漏斗状の濾紙を広げて入れ、この濾紙内に挽いたコーヒー豆を所定量入れた後、上方から熱湯を注いで容器内に抽出したコーヒー液を流下させ、コーヒーを作っていた。
【０００３】
しかし、濾紙収納部の底に設けられた通液口は、常時開放状態となっているので、１つの容器内にコーヒー液を抽出したコーヒードリッパーを他の容器に移そうとする場合、コーヒーの豆原料や濾紙に含まれているコーヒー液が通液口から雫となって漏れ出すという問題があった。
そこで、例えば、特許文献１、２には、逆円錐台状の濾紙収納部の底部分に設けられた通液口に、常時は弾性的に付勢されてコーヒー液の流下を防ぐ栓を設けると共に、この栓を開くロッド部材を設け、しかもこのロッド部材の操作ボタンを濾紙収納部の把手部に配置したドリッパーが提案されている。なお、このドリッパーの把手部には、操作ボタンを押し下げた状態で維持し、通液口を開口状態に維持可能なロック機構が設けられており、これにより、コーヒー液の流下を連続的に行っている。
【０００４】
【特許文献１】特開２００３−４３７号公報（図１）
【特許文献２】特開２００４−１４１２３６号公報（図１）
【発明の開示】
【発明が解決しようとする課題】
【０００５】
しかしながら、通液口を開口状態に維持可能にするロック機構は、濾紙収納部の把手部に設けられているため、別個に製造して把手部に取付ける必要がある。このため、ドリッパーの装置構成が複雑になり、また別個に製造するため製造コストがかかり経済的でなく、しかもドリッパーの組み立ての際の作業性が悪くなる。
【０００６】
本発明はかかる事情に鑑みてなされたもので、装置構成が簡単で経済的に製造でき、操作性が良好なドリッパーを提供することを目的とする。
【課題を解決するための手段】
【０００７】
前記目的に沿う第１の発明に係るドリッパーは、外側に把手部を備え底部には貫通孔が形成された逆円錐台状の濾紙収納部と、前記貫通孔に嵌合する筒体部及びその中間位置に設けられたフランジ部を有し前記貫通孔にシール状態でねじ取付けされた中央に通液口を備える筒状部材と、前記通液口の下から上に向けてスプリングによって付勢されて該通液口を閉塞する栓と、前記濾紙収納部の内側斜面に近接して配置され、上側が前記濾紙収納部の上方に突出し、下側が前記栓に直接又は間接的に連結されて前記栓を前記スプリングに対抗して押し下げ可能なロッド部材とを有し、かつ、前記筒体部の両側には前記ロッド部材の下側が上下に移動可能な垂直ガイド孔が設けられると共に、該垂直ガイド孔の少なくとも片側には該垂直ガイド孔に連接する横溝を設け、更に、前記ロッド部材の下側は、前記筒体部の両側に設けられた前記垂直ガイド孔を上下に移動する水平部を備えると共に、該水平部の上又は下に掛止部を有し、前記ロッド部材の上側を回動させることによって、前記掛止部が回動して前記横溝に嵌入する。
【０００８】
第１の発明に係るドリッパーにおいて、前記筒状部材には、前記濾紙収納部の下方から螺合して前記筒状部材を前記貫通孔に取付ける固定部が設けられ、しかも該固定部は、下方へ向けて縮径しその外側周囲にすべり止めが設けられていることが好ましい。
【０００９】
前記目的に沿う第２の発明に係るドリッパーは、外側に把手部を備え底部には通液口が形成された逆円錐台状の濾紙収納部と、該濾紙収納部の内側底部に前記通液口と軸心を同一にして設けられた筒体部と、前記通液口の下から上に向けてスプリングによって付勢されて該通液口を閉塞する栓と、前記濾紙収納部の内側斜面に近接して配置され、上側が前記濾紙収納部の上方に突出し、下側が前記栓に直接又は間接的に連結されて前記栓を前記スプリングに対抗して押し下げ可能なロッド部材とを有し、かつ、前記筒体部の両側には前記ロッド部材の下側が上下に移動可能な垂直ガイド孔が設けられると共に、該垂直ガイド孔の少なくとも片側には該垂直ガイド孔に連接する横溝を設け、更に、前記ロッド部材の下側は、前記筒体部の両側に設けられた前記垂直ガイド孔を上下に移動する水平部を備えると共に、該水平部の上又は下に掛止部を有し、前記ロッド部材の上側を回動させることによって、前記掛止部が回動して前記横溝に嵌入する。
【００１０】
第１及び第２の発明に係るドリッパーにおいて、前記掛止部は前記水平部を延長しＵ字状に曲げて形成されていることが好ましい。
【発明の効果】
【００１１】
請求項１〜４記載のドリッパーは、ロッド部材の下側の水平部が上下に移動可能な垂直ガイド孔と、この垂直ガイド孔に連接し、ロッド部材の下側の掛止部が嵌入する横溝が設けられた筒体部を有しているので、ロッド部材を押し下げた状態、即ち栓を下降させて通液口を開口させた状態で、水平部を回動中心としてロッド部材の上側を回動させることにより、掛止部を回動して横溝に嵌入させ、通液口の開口状態を維持できる。これにより、従来のように、ロック機構を別個に製造して把手部に取付ける必要がないため、ドリッパーの装置構成が簡単になり、また製造コストを低減でき、しかもドリッパーの組み立ての際の作業性が良好になる。
また、例えば、把手部を握った手の親指でロッド部材の上側を押圧して回動させることにより、通液口の開閉操作とロック操作を簡単に行うことができるので、操作性が良好である。
【００１２】
特に、請求項１及びこれに従属する請求項２、４記載のドリッパーは、筒状部材が濾紙収納部にねじ取付けされ、濾紙収納部に取付け取外し可能な構成となっているので、筒状部材と濾紙収納部とを、用途に応じて異なる材料で製造できる。また、筒状部材と濾紙収納部とを別個に製造できるので、その構造を簡単にでき、大量生産に適している。
請求項２記載のドリッパーは、下方へ向けて縮径しその周囲にすべり止めが設けられた固定部を使用して、筒状部材を濾紙収納部の貫通孔に取付けるので、濾紙収納部への筒状部材の取付け、又は濾紙収納部からの筒状部材の取外し作業が容易になる。
【００１３】
請求項３及びこれに従属する請求項４記載のドリッパーは、垂直ガイド孔とこれに連接する横溝が設けられた筒体部を、濾紙収納部に設けているので、筒体部を濾紙収納部と一体的に製造でき、ドリッパーの組み立ての際の作業性が良好になる。
請求項４記載のドリッパーは、ロッド部材の下側に設けられた掛止部が水平部を延長しＵ字状に曲げて形成されているので、掛止部の構成を簡単にできる。
【発明を実施するための最良の形態】
【００１４】
続いて、添付した図面を参照しつつ、本発明を具体化した実施の形態につき説明し、本発明の理解に供する。
ここで、図１は本発明の一実施の形態に係るドリッパーの側断面図、図２は同ドリッパーのロッド部材を押し下げた状態の側断面図、図３（Ａ）、（Ｂ）はそれぞれ同ドリッパーのロッド部材の自由状態の説明図、押し下げた状態の説明図、図４（Ａ）、（Ｂ）はそれぞれ変形例に係る固定部の側面図、底面図、図５は変形例に係るドリッパーの側断面図である。
【００１５】
図１〜図３に示すように、本発明の一実施の形態に係るドリッパー１０は、外側に把手部１１を備え底部１２には貫通孔１３が形成された逆円錐台状の濾紙収納部１４と、貫通孔１３にねじ取付けされ中央に通液口１５を備える筒状部材１６と、通液口１５を閉塞する栓１７と、濾紙収納部１４の内側斜面１８に近接して配置され、栓１７を押し下げ可能なロッド部材１９とを有している。以下、詳しく説明する。
【００１６】
図１、図２に示すように、濾紙収納部１４は、全体が、例えば、陶器、磁器、又は耐熱性プラスチックで構成されている。この濾紙収納部１４は、側面視して略コ字状となった把手部１１を外側側方に有している。なお、把手部の形状は片手で握り易い形状であればよく、逆Ｌ字状としてもよい。また、把手部１１のみを別個に製造して取付けてもよい。
濾紙収納部１４は、その底部周囲に、底部１２の外径と略等しい外径で構成される円筒状となった脚部２０を有している。この脚部２０の外側下部には、ドリッパー１０を例えばカップのような容器２１に載せる載置部２２を、一体的又は独立に設けることが好ましい。なお、載置部２２は、脚部２０の内径と同一内径を備え、容器２１の内径より小さい開口部２２ａを有しており、載置部２２の外径は、容器２１の外径より大きくなっている。この載置部２２には、適当に切欠きを設け、内部に注いだ液体の量が目視できるようにすることも可能である。
また、濾紙収納部１４には、濾紙収納部１４と同一の材質で構成された蓋（図示しない）が載置可能になっている。この蓋は円盤状となっており、ロッド部材１９と接触しないように、外側に開口した切欠き部を設けることができる。これにより、濾紙収納部１４を蓋で塞ぐことができるので、例えば濾紙収納部１４内に紅茶の葉を入れた後お湯を注ぎ、濾紙収納部１４内で蒸らすことができる。
【００１７】
濾紙収納部１４の底部１２には、中央に貫通孔１３が形成された内フランジ部２３が形成され、この貫通孔１３に通液口１５を備える筒状部材１６がねじ取付けされている。
筒状部材１６は、例えば耐熱性プラスチックで構成され、貫通孔１３に嵌合する筒体部２４と、その外側中間位置に設けられたフランジ部２５を有している。図３（Ａ）、（Ｂ）に示すように、筒状部材１６のフランジ部２５の下側に位置する筒体部２４の外側周囲には、雄ねじ部２６が形成され、この雄ねじ部２６には雌ねじ部が形成された固定部２７が螺合する。
【００１８】
なお、図４（Ａ）、（Ｂ）に示すように、筒状部材１６のねじ取付けに際しては、下方へ向けて縮径し、その外形が逆円錐台状となった固定部２８を使用することもできる。この固定部２８の外側周囲には、断面波形のすべり止め２９が設けられているので、筒状部材１６への取付け又は筒状部材１６からの取外しも容易である。
これにより、筒状部材１６の筒体部２４にゴム製のパッキン（Ｏリングでもよい）３０を取付けた後、この筒体部２４を底部１２の上方から濾紙収納部１４の貫通孔１３に挿通して嵌入し、パッキン３０の上面とフランジ部２５の下面を当接させ、更に、貫通孔１３の下方へ突出した雄ねじ部２６に、濾紙収納部１４の下方から固定部２７を螺合できるので、筒状部材１６を貫通孔１３にシール状態で取付けできる。
【００１９】
図３（Ａ）、（Ｂ）に示すように、筒状部材１６のフランジ部２５の上側に位置する筒体部２４の両側には、ロッド部材１９の下側に設けられた水平部３１を上下に移動可能にガイドする対向配置された垂直ガイド孔３２、３３が設けられ、しかも片側（把手部１１から離れた側）の垂直ガイド孔３２には、垂直ガイド孔３２に連接する横溝３４が設けられている。このように、筒体部２４の片側に、垂直ガイド孔３２と、この垂直ガイド孔３２に連接する横溝３４を設けることで、側面視して十字状の孔が形成される。
なお、横溝３４は、片側の垂直ガイド孔３２に設けているが、両側の垂直ガイド孔３２、３３にそれぞれ設けることも可能である。また、横溝３４は、垂直ガイド孔３２の両側に連接されているが、片側のみでもよい。
【００２０】
図３（Ａ）、（Ｂ）に示すように、筒体部２４の側部で、各垂直ガイド孔３２、３３と異なる位置には、濾紙収納部１４内の液体を通液口１５に流下させるための２つの開口部３５、３６が設けられている。
また、筒体部２４の上端には、濾材（例えば、濾紙、金網、又は不織布）を載せる載置台３７が設けられている。なお、載置台３７は、筒体部２４と一体的に製造してもよく、また、載置台３７と筒体部２４とを個別に製造した後接合することも可能である。
筒体部２４の内部には、耐食性を有するステンレスで構成され、自由状態では伸びた状態にある例えば、圧縮コイル（つる巻）ばね、又は円錐コイルばねからなるスプリング３８が配置されている。なお、このスプリング３８はその下端が、筒体部２４の内側に設けられた、通液口１５を形成する段部３９上に載置されている。
この通液口１５の下部口には、ゴム又は弾力性を有するプラスチックからなり、半球と逆円錐台とを一体とした形状の栓１７が、その曲面を当接可能に配置されている。なお、栓の形状は、通液口１５を閉塞することができれば、例えば、半球の部分を円錐又は円錐台状にすることも可能である。
【００２１】
栓１７には、軸心を合わせて栓１７の上方に突出し、筒体部２４内に配置された螺旋状のスプリング３８の中央に位置する棒状の突出部４０が設けられている。スプリング３８の上方に突出した突出部４０の先部（上端部）には横孔４１が設けられ、各垂直ガイド孔３２、３３に挿通してスプリング３８の上端に配置される（ロッド部材１９の下側の）水平部３１が、この横孔４１を貫通して、栓１７と間接的に連結されている。なお、突出部と一体となった栓、又はロッド部材の下側の水平部をＴ字状に形成してその下端部に栓を取付けたものを使用し、ロッド部材と栓とを直接的に連結することも可能である。
これにより、スプリング３８が自由状態では、スプリング３８により、栓１７が通液口１５の下部口に下から上に向けて付勢され、栓１７が通液口１５を閉塞する。
【００２２】
ロッド部材１９は、ステンレス製の棒材を曲げることで構成され、濾紙収納部１４の把手部１１の取付け位置近傍の内側斜面１８に沿って近接して配置される傾斜部４２を備えており、水平部３１と傾斜部４２とのなす角が、例えば１００度以上１３０度以下の範囲になっている。なお、ロッド部材１９の上側は、濾紙収納部１４の把手部１１側で、しかも濾紙収納部１４の上方に突出しており、その端部に操作ボタン４３（例えば、木製、プラスチック、又は金属製）が設けられている。
ロッド部材１９の水平部３１は、更に延長され、水平部３１の上（下でもよい）にＵ字状に曲げて掛止部４４が形成されている。なお、この掛止部４４は、少なくとも横溝３４に嵌入可能な長さを備えていればよい。従って、掛止部の形状は、これに限定されるものではなく、例えば、傾斜部の下端から二股に別れ、一方に水平部が他方に掛止部が形成されたものであってもよい。
【００２３】
また、水平部３１の垂直ガイド孔３２より先側位置及び垂直ガイド孔３３より手前側位置には、垂直ガイド孔３２、３３の開口幅より大きなストッパー４５、４６がそれぞれ設けられている。
これにより、操作ボタン４３を押し下げた場合には、垂直ガイド孔３２、３３に沿って下降する水平部３１が、垂直ガイド孔３３から筒体部２４内に更に深く嵌入するのをストッパー４６によって防止できる。一方、押し下げを解除して操作ボタン４３が元の位置に戻った場合には、垂直ガイド孔３２、３３に沿って上昇する水平部３１が、垂直ガイド３２から抜けるのをストッパー４５によって防止できる。
なお、水平部３１が上下移動するとき、同時に水平に進退移動（横移動）するが、水平部３１は、突出部４０の横孔４１の中を摺動するので、突出部４０は水平部３１と共に横移動することなく、通液口１５を通って軸方向に上下動することができる。これにより、栓１７を実質的に上下方向に移動させ、通液口１５の開閉操作を行うことが可能となる。
【００２４】
以上のように構成することより、図３（Ｂ）に示すように、操作ボタン４３を指で押圧し、スプリング３８に対抗して栓１７を下降させて通液口１５を開き、水平部３１を回動中心として、操作ボタン４３を時計回り（反時計回りでもよい）に回動（例えば、５度以上３０度以下の範囲）させて掛止部４４を回動し、掛止部４４を垂直ガイド孔３２から横溝３４に嵌入させて、押圧状態を維持する。なお、この状態を確実にするため、横溝３４の途中位置の上側に凹部４７を設け、これに掛止部４４を嵌入させるのが好ましい。これにより、操作ボタン４３の押圧状態を維持でき、スプリング３８に対抗した状態に維持して通液口１５を開口状態にできる。
また、通液口１５を栓１７で閉塞する場合には、図３（Ｂ）に示すように、水平部３１を回動中心として、操作ボタン４３を反時計回り（時計回りでもよい）に回動させて掛止部４４を回動し、横溝３４の凹部４７に嵌入していた掛止部４４を垂直ガイド孔３２へ戻す。これにより、スプリング３８を自由状態にして通液口１５を閉塞状態にできる。
【００２５】
なお、図５に変形例として示すドリッパー５０は、濾紙収納部５１と筒体部５２とが耐熱性プラスチックで一体的に製造されている。即ち、濾紙収納部５１の底部５３の貫通孔には、中央に通液口５４が形成された段部５５が設けられ、この段部５５の上側（濾紙収納部５１の内側底部）には、底部５３の貫通孔の内径と同一内径を有する筒体部５２が、通液口５４と軸心を同一にして一体的に設けられている。
このドリッパー５０の組み立てに際しては、濾紙収納部５１の底部５３に設けられた段部５５にスプリング３８を載置し、通液口５４の下方から栓１７を装入して、予めストッパー４６が取付けられたロッド部材１９の水平部３１を、筒体部５２の垂直ガイド孔３３、栓１７の突出部４０の横孔４１、及び垂直ガイド孔３２に順次挿通する。そして、水平部３１の先側からもう一つのストッパー４５を取付けた後、水平部３１の先側延長部をＵ字状に折り曲げて掛止部４４を形成し、筒体部５２の上に載置台３７を取付ける。
【００２６】
続いて、本発明の一実施の形態に係るドリッパー１０の使用方法について、挽いたコーヒー豆原料からコーヒーを入れる場合、紅茶の葉から紅茶又はお茶の葉（煎茶粉末）からお茶を入れる場合について、それぞれ説明する。
まず、濾紙収納部１４と、ロッド部材１９が予め取付けられた筒状部材１６とを準備する。そして、濾紙収納部１４の貫通孔１３に、パッキン３０を装着した筒状部材１６の筒体部２４を挿通して嵌入させ、貫通孔１３の下方へ突出する筒体部２４の雄ねじ部２６に固定部２７を螺着させて、筒状部材１６をシール状態で濾紙収納部１４に固定する。なお、筒状部材１６の取付けに際しては、ロッド部材１９の操作ボタン４３が、把手部１１近傍に配置されるように行う。
これにより、ドリッパー１０の準備が整う。
【００２７】
このドリッパー１０を使用してコーヒーを入れる場合、まず、ドリッパー１０を容器２１の上に設置部２２を介して載せる（図１参照）。この状態で、上方から濾紙収納部１４内に濾紙（図示しない）を入れ、濾紙の底部が載置台３７の上面に載置されるように配置する。なお、このとき、操作ボタン４３は押圧されておらず、スプリング３８が伸びた状態（自由状態）を維持するため、通液口１５は栓１７により閉塞状態に維持される。
この後、コーヒー豆を挽いたコーヒー原料を濾紙内に入れて、上方から熱湯を注いだ後、蓋を閉めてコーヒー液を作る。数秒経過した（コーヒー液ができた）後、ドリッパー１０の通液口１５を開くため、操作ボタン４３を押圧下降する。
これにより、ロッド部材１９は濾紙収納部１４の内側斜面１８に沿って下降するため、栓１７は、通液口１５の下方に略垂直方向に下降し、通液口１５が開口する。
【００２８】
そして、操作ボタン４３を押圧した状態で、時計回りに回動させることにより、ロッド部材１９の掛止部４４を横溝３４に嵌入し、更に横溝３４の凹部４７に固定する（図３（Ｂ）参照）。
これにより、操作ボタン４３は下降状態が維持され、スプリング３８の圧縮状態が維持されるので、栓１７が通液口１５の下部口とは隙間を有して配置される状態が維持される（図２参照）。
このとき、濾過されたコーヒー液が、筒体部２４の開口部３５、３６を介して通液口１５へ流下し、容器２１の中へ流れ込む。従って、操作ボタン４３を指で押圧し続けることなく、通液口１５が開いた状態を維持できる。よって、多くのコーヒー液を作る場合は、濾紙内のお湯の量を見ながら、更にお湯を注ぎ続けることで、ドリッパー１０からのコーヒー液の流下を連続的に行うことができるので、作業性が良好である。
【００２９】
なお、容器２１へのコーヒー液の流下が終了した場合、又は容器２１へのコーヒー液の流下を停止する場合は、ロッド部材１９の掛止部４４が横溝３４から外れる位置まで、操作ボタン４３を反時計回りに回動させることで、操作ボタン４３の押圧下降状態が解除される（図３（Ｂ）参照）。これにより、スプリング３８に加えられていた力が無くなり、スプリング３８は自由状態になるので、栓１７は通液口１５に対して略垂直方向に上昇し、栓１７が下部口に当接して、通液口１５の閉塞状態が維持される（図１参照）。従って、コーヒーの原料豆や濾紙に含まれているコーヒー液の通液口１５からの漏れ出しを、片手による押圧及び回動操作のみで容易に防ぐことができるので、作業性及び操作性が良好になる。
なお、ドリッパー１０の使用が終了した後は、受け台（図示しない）にドリッパー１０を載置して放置することにより、例えば、栓１７に付着したコーヒー液の雫が、台（テーブル等）の上に付着することを防止できる。
【００３０】
次に、紅茶の葉から紅茶を入れる場合について説明する。なお、お茶の葉からお茶を入れる場合も同様である。
まず、ドリッパー１０を受け台に載置した状態で、ドリッパー１０の濾紙収納部１４内に濾紙（ステンレス製の茶漉しでもよい）を入れ、濾紙の底部が載置台３７の上面に載置されるように配置する。なお、このとき、操作ボタン４３は押圧されておらず、スプリング３８が伸びた状態（自由状態）にあるため、通液口１５の下部口は栓１７により閉塞状態が維持されている。この後、紅茶の葉を濾紙内に入れ、上方から熱湯を注ぎ、濾紙収納部１４に蓋をした後、紅茶を抽出するため所定時間（例えば、１０秒から３分程度）放置する。
【００３１】
紅茶ができた後、ドリッパー１０を容器２１の上に持って行き、操作ボタン４３を指で押圧することで、容器２１に紅茶を流下させる。なお、容器２１に流下させる量は多くないため、容器２１に所定量紅茶を流下させた後は、操作ボタン４３を押圧していた指を離すことで、通液口１５を栓１７により閉塞し、紅茶の流下を停止する。この動作を繰返すことで、通液口１５から雫を漏らすことなく、複数の容器２１に紅茶を流下させることが可能となる。
なお、ドリッパー１０の使用が終了した後は、受け台にドリッパー１０を載置して放置することにより、例えば、栓１７に付着した紅茶の雫が、台（テーブル等）の上に付着することを防止できる。
【００３２】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のドリッパーを構成する場合も本発明の権利範囲に含まれる。
【図面の簡単な説明】
【００３３】
【図１】本発明の一実施の形態に係るドリッパーの側断面図である。
【図２】同ドリッパーのロッド部材を押し下げた状態の側断面図である。
【図３】（Ａ）、（Ｂ）はそれぞれ同ドリッパーのロッド部材の自由状態の説明図、押し下げた状態の説明図である。
【図４】（Ａ）、（Ｂ）はそれぞれ変形例に係る固定部の側面図、底面図である。
【図５】変形例に係るドリッパーの側断面図である。
【符号の説明】
【００３４】
１０：ドリッパー、１１：把手部、１２：底部、１３：貫通孔、１４：濾紙収納部、１５：通液口、１６：筒状部材、１７：栓、１８：内側斜面、１９：ロッド部材、２０：脚部、２１：容器、２２：載置部、２２ａ：開口部、２３：内フランジ部、２４：筒体部、２５：フランジ部、２６：雄ねじ部、２７、２８：固定部、２９：すべり止め、３０：パッキン、３１：水平部、３２、３３：垂直ガイド孔、３４：横溝、３５、３６：開口部、３７：載置台、３８：スプリング、３９：段部、４０：突出部、４１：横孔、４２：傾斜部、４３：操作ボタン、４４：掛止部、４５、４６：ストッパー、４７：凹部、５０：ドリッパー、５１：濾紙収納部、５２：筒体部、５３：底部、５４：通液口、５５：段部
【図１】
2007075434.tif 000003
【図２】
2007075434.tif 000004
【図３】
2007075434.tif 000005
【図４】
2007075434.tif 000006
【図５】
2007075434.tif 000007